(57)【要約】      （修正有）【課題】常時監視が不要で、ブレークの判断も容易な株価情報の表示システムを提供する。【解決手段】センタサーバ３からリアルタイムに送信されてくる最新株価情報を受信したかどうか判定し２０１、受信した場合は株価チャートを更新し２０２、次に、株価チャートの現在値がトレンドラインＧ２４をブレークしたかどうか判定し２０３、ブレークした場合は、ラジオボタンＧ２５がＯＮかどうか判定し２０４、ラジオボタンＧ２５がＯＮであればアラームを報知し２０５、ラジオボタンＧ２５をＯＦＦにセットし２０６、終了ボタンがクリックされたかどうか判定し２０７、クリックされた場合は処理を終了する。【選択図】図６
2005301372.tif 000002
【特許請求の範囲】
【請求項１】
最新の株価情報をリアルタイムに配信するサーバに利用者のパソコンを接続し、
このパソコンに、
前記サーバから株価情報を取得する取得手段と、
この株価情報をグラフ化した株価チャートを画面に表示する表示手段と、
この株価チャートの画面上に任意のトレンドラインを描画する描画手段と、
このトレンドラインを前記株価チャートの現在値がブレークしたときはアラームを報知する報知手段と、
を備えることを特徴とする株価情報表示システム。
【請求項２】
前記トレンドラインが複数描画されている場合はそのうちのいずれかひとつを前記株価チャートの現在値がブレークしたときにアラームを報知することを特徴とする請求項１記載の株価情報表示システム。
【請求項３】
前記アラームを報知するかどうか選択可能であることを特徴とする請求項１記載の株価情報表示システム。
【請求項４】
前記アラームの報知を画面および／または音声に出力して行うことを特徴とする請求項１記載の株価情報表示システム。
【発明の詳細な説明】
【技術分野】
【０００１】
本発明は、最新の株価情報をリアルタイムに配信するサーバに利用者のパソコンを接続して株価情報を表示する株価情報表示システムに関する。
【背景技術】
【０００２】
近年、売買手数料が安く、２４時間手軽に売買発注が可能なネット証券会社を利用して株式の短期的な売買を行い、利ざやを稼ぐデイトレーダーと呼ばれる個人投資家が急増している。
株価は、業績や財務状況などからはじき出される株式の理論的な価値だけでなく、株価が上がるだろうという期待や、日々のニュース、為替の変動、投資家の心理などによって左右され、日々の変動を的確に予測することは難しい。
そのため、株価の上昇、下降の方向性を一つの流れとして捉え、株価の動きだけに注目して適正な売買のタイミングを把握するトレンド分析は有効な分析技法と言える。
【０００３】
従来、トレンド分析を行うためにいわゆるローソク線と短期、長期の移動平均線を組み合わせたチャートが多く用いられてきたが、移動平均線にはタイムラグがあるためこれによりデイトレーディングのような極めて短期的な売買のタイミングを的確に把握するのは困難である。
そのため、移動平均線の代わりに投資家の長年の経験や勘に基づいて作成したトレンドラインとローソク線を組み合わせたチャートを用いてデイトレーディングのような短期的な売買に有効なトレンド分析が行われている。
【０００４】
このチャートは、現在値がトレンドラインをブレークした（突き抜けた）ときを売買のタイミングとして認識するものであるが、このチャートを用いてデイトレーディングを行うためには、刻々と変化するチャートをコンピュータの画面に表示して常に監視する必要がある。そうしないと、売買のタイミングを見逃すことになり、そのため画面から目を離すことができなくなる。
また、コンピュータの画面表示能力には限界があり、チャートの詳細部分を鮮明に捉えるのが困難なこともあるので、画面を見てブレークしたかどうかを正確に判断するのが難しいという問題もある。
【発明の開示】
【発明が解決しようとする課題】
【０００５】
解決しようとする問題点は、トレンドラインのブレークを検知してデイトレーディングを行うためには画面を常に監視しなければならず、また、画面では正確にブレークを判断するのが難しい点であり、本発明は、常時監視が不要で、ブレークの判断も容易な株価情報の表示システムを提供することを目的になされたものである。
【課題を解決するための手段】
【０００６】
本発明は、最新の株価情報をリアルタイムに配信するサーバに利用者のパソコンを接続し、このパソコンに、前記サーバから株価情報を取得する取得手段と、この株価情報をグラフ化した株価チャートを画面に表示する表示手段と、この株価チャートの画面上に任意のトレンドラインを描画する描画手段と、このトレンドラインを前記株価チャートの現在値がブレークしたときはアラームを報知する報知手段とを備えることを最も主要な特徴とする。
【発明の効果】
【０００７】
本発明は、株価チャートの画面上に描画した任意のトレンドラインを現在値がブレークしたときは自動的にアラームを報知するので、画面を常に見ていなくてもブレークを検知できるようになる。また、画面では正確な判断が難しい場合でも容易にブレークを検知できるようになる。また、株式の売買システムと連動させることにより、株式の売り買いがシームレスにできるようになる。
【発明を実施するための最良の形態】
【０００８】
以下、本発明の実施の形態について説明する。
【０００９】
図１に、本発明を実施した株価情報表示システムの構成図を示す。
株価情報表示システムは、各地の証券取引所などのコンピュータシステム１に接続して最新の株価情報をリアルタイムに配信する配信サーバ２にセンタサーバ３を接続し、このセンタサーバ３にインターネット４を介して利用者のパソコン５を接続する構成である。
センタサーバ３には株価データベース６を接続して配信サーバ２から受信した株価情報を一定期間保存する機能を持たせる。
パソコン５は、インターネット４に常時接続し、最初にセンタサーバ３をアクセスしてプル型の情報検索により指定した期間の株価情報を取得して株価チャート画面を表示し、その後自動的にセンタサーバ３をアクセスしてプッシュ型の情報検索により最新の株価情報だけを取得して株価チャート画面を更新する。
このとき、株価チャートの現在値が画面上に描画されたトレンドラインをブレークしたときはその旨のアラームを報知する。
【００１０】
図２に、株価チャート画面表示処理のフローチャートを示す。
まず、利用者がＵＲＬを指定してパソコン５からセンタサーバ３に対して検索メニュー画面（ＨＴＭＬ文書）Ｇ１の送信要求を行う（ステップ１０１）。
これに対し、センタサーバ３が指定された検索メニュー画面Ｇ１を要求元のパソコン５へ送信する（ステップ１０２）。
これにより、パソコン５がブラウザ画面に検索メニュー画面Ｇ１を表示し、利用者がその入力フォームに銘柄コードと検索期間の長さなどの検索条件を入力する。
検索条件が入力されると、パソコン５がブラウザ画面に株価チャート画面Ｇ２の初期画面を表示する。
次に、パソコン５が入力された検索条件を指定してセンタサーバ３の株価データベース６を検索し（ステップ１０３）、指定した検索条件に対応する株価情報のデータを読み込む（ステップ１０４）。
このとき、株価チャート画面Ｇ２に「データ読み込み中」のメッセージが表示される。
読み込みを終了すると、パソコン５が読み込んだ株価情報をグラフ化して株価チャート画面Ｇ２に表示する。
【００１１】
図３に、株価チャート画面のフォーマットを示す。
株価チャート画面Ｇ２は、株価チャート表示領域Ｇ２１の横に株価表示領域Ｇ２２を設け、株価チャートの現在値の横に現況表示領域Ｇ２３を設けて株数別の売値／買値、現在値、前日比、現在値における出来高などを表示する構成である。
株価チャートは、銘柄コードをキーに株価データベース６を検索して図４に示す銘柄別の株価情報を取得し、この株価情報を時系列にグラフ化して表示する。
また、設定によって日足、週足、月足、年足の別に表示できるようになっている。
【００１２】
株価チャート画面Ｇ２には、マウスをドラッグして任意の本数のトレンドラインＧ２４を任意の長さと任意の傾斜角度で描けるようになっている。
これにより、さまざまな可能性を検討した結果を反映したトレンドラインを設定できるようになる。
トレンドラインＧ２４は、株価表示領域Ｇ２２のクリアボタンをクリックすることにより、描画した順番に消去することができる。
【００１３】
株価チャート画面Ｇ２には、ＯＮ／ＯＦＦのラジオボタンＧ２５が表示され、いずれかをクリックすることによって株価チャートの現在値がトレンドラインＧ２４をブレークしたときにアラームを報知するか否かの設定ができるようになっている。
このため、アラームはラジオボタンＧ２５がＯＮのときのみ報知され、ＯＦＦのときは報知されない。
これにより、株式の売り買いを行わないときでも株価ウォッチングなどに有効利用することができる。
【００１４】
アラームは、図５（ａ）に示すように、株価チャートの現在値がトレンドラインＧ２４を通過したときに報知される。
また、図５（ｂ）に示すように、複数のトレンドラインＧ２４が描画されている場合、株価チャートの現在値がそのうちのいずれかひとつを通過したときに報知される。
また、図５（ｃ）に示すように、株価チャートの現在値がトレンドラインＧ２４を一度通過しても、ラジオボタンＧ２５がＯＮであれば、再びそのラインを通過したときは再度アラームが報知される。
また、図５（ｄ）に示すように、株価チャートの現在値がトレンドラインＧ２４と交差しなければ、画面上にトレンドラインＧ２４が描画されていてもアラームは報知されない。
【００１５】
トレンドラインＧ２４をブレークしてアラームが報知されると、ラジオボタンＧ２５は自動的にＯＦＦにセットされる。
このため、現在値がいったんトレンドラインＧ２４をブレークした場合、ラジオボタンＧ２５をクリックしてＯＮにしないかぎり、再びトレンドラインＧ２４をブレークしても２度目のアラームは報知されない。
アラームの報知は、アプレットウインドウＧ２６の表示と警告音（警告メッセージ）の出力によってなされる。
これにより、画面を見ていれば直ぐにトレンドラインのブレークが分かり、画面を見ていないときでも容易にトレンドラインのブレークを検知できるようになる。
【００１６】
図６に、株価チャート画面更新処理のフローチャートを示す。
まず、ステップ２０１においてセンタサーバ３からリアルタイムに送信されてくる最新の株価情報を受信したかどうか判定し、受信した場合は次のステップ２０２において株価チャートを更新し、受信しない場合はステップ２０１の処理を繰り返して次の株価情報の送信があるまで待機する。
次のステップ２０３において株価チャートの現在値がトレンドラインＧ２４をブレークしたかどうか判定し、ブレークしない場合はステップ２０７に処理を進め、ブレークした場合は次のステップ２０４においてラジオボタンＧ２５がＯＮかどうか判定する。
ラジオボタンＧ２５がＯＮでなければステップ２０７に処理を進め、ＯＮであれば次のステップ２０５においてアラームを報知し、次のステップ２０６においてラジオボタンＧ２５をＯＦＦにセットする。
次のステップ２０７において終了ボタンがクリックされたかどうか判定し、クリックされた場合は処理を終了し、クリックされない場合はステップ２０１に戻って次の株価情報の送信があるまで待機する。
【図面の簡単な説明】
【００１７】
【図１】本発明を実施した株価情報表示システムの構成図である。
【図２】株価チャート画面表示処理のフローチャートである。
【図３】株価チャート画面のフォーマット図である。
【図４】株価情報のフォーマット図である。
【図５】トレンドラインブレークの説明図である。
【図６】株価チャート画面更新処理のフローチャートである。
【符号の説明】
【００１８】
１        コンピュータシステム
２        配信サーバ
３        センタサーバ
４        インターネット
５        パソコン
６        株価データベース
【図１】
2005301372.tif 000003
【図２】
2005301372.tif 000004
【図３】
2005301372.tif 000005
【図４】
2005301372.tif 000006
【図５】
2005301372.tif 000007
【図６】
2005301372.tif 000008